(57)【特許請求の範囲】
【請求項１】
紙パルプ噴射穴（８）、集束部（２ａ）、発散部（２ｃ）および空気導入室（３ａ）を有する紙パルプ用空気噴射器であって、該噴射器が中空チューブ（１）より構成され、チューブ内の穴が、集束形のテーパ状穴（２ａ）、発散形のテーパ状発散部（２ｃ）および両者を結ぶ円筒状穴（２ｂ）からなる第１の部分と、集束形のテーパ状穴（２ａ）の径より大きな径の円筒状穴（３）よりなる第２の部分を有し、集束形のテーパ状穴（２ａ）との結合部のすぐ前で、円筒状穴（３）は紙パルプを導入する穴（８）付きのストッパ（６）により閉じられ、チューブ（１）の一端から穴（２ａ）に向かうストッパ（６）の厚みが、円筒状の空気導入室（３ａ）を作るよう、穴（３）の長さより短く、該空気導入室（３ａ）が、チューブ（１）に対して穴（３）に開口する空気供給用のダクト（５）を設けることで形成したものであることを特徴とする紙パルプ用空気噴射器。
【請求項２】
噴射器を複数個並列関係に空気が供給される気密スペースに配する請求項１記載の噴射器。
【請求項３】
気密スペースが２枚のプレート（１０、１１）と両プレートを継ぐ殻（１４）により作られ、気密スペースはパイプ（１５）を介して空気が供給され、ボイラーチューブのように並列関係に噴射器を配する請求項２記載の噴射器。
【請求項４】
ストッパ（６）の穴（８）が中央穴と該中央穴と交差する複数個の周辺の穴からなり、パルプと空気との間の接触面を増加させる請求項１記載の噴射器。
【請求項５】
周辺の穴が円形である請求項４記載の噴射器。
【請求項６】
周辺の穴が細長い溝状である請求項４記載の噴射器。
【発明の詳細な説明】
【０００１】
【発明の属する技術分野】
本発明は、紙パルプの再生分野に関連し、パルプ内に空気を吹込み再生紙の紙パルプからインクを除去する技術に関する。
【０００２】
【従来の技術】
ヨーロッパ特許第３０５，２５１号明細書は、特別な形状の空気噴射器を開示し、これは、インク除去と形づくりのため、大量の紙パルプ中に多量の空気を、多くの気泡とともに吹込むことを可能とさせ、これにより、パルプ中のインクを気泡の表面に付着せしめるものである。即ち、行おうとすることは、水と紙パルプからなる半ば液状のものからインクの付いた気泡を除去させることである。
同上のヨーロッパ特許明細書に記載された空気噴射器は三つの要素からなり、即ち、インクの付いたパルプを噴射させるチューブの組、空気を接線方向から吹込む円筒状のダクトと、円筒状のダクトにより結合された集束部と散開部とからなる混合ダクトとからなる。
【０００３】
【発明が解決しようとする課題】
本発明は、この種の空気噴射器の効率をよりよくすることを、解決すべき課題とする。
【０００４】
【課題を解決するための手段】
本発明の第一の態様は、空気噴射器の構造に関し、この構造をヨーロッパ特許第３０５，２５１号明細書に記述したものより簡単なものとし、低価格での製造を可能にする。
【０００５】
本発明の第２の態様は、空気噴射器を泡立器に配することにある。
本発明を具体化させる空気噴射器は、円筒状の中空チューブからなるもので、その内部の穴は、発散形のテーパ状穴、円筒状の穴と集束形のテーパ状穴をもつ第１の部分と、集束形のテーパ状穴の外径より大なる外径の円筒状穴からなり、この円筒状の穴と第１の部分とは連通し、円筒状の穴には空気導入用の接線方向の穴が、テーパ付穴との接合部の直前に備えられかつパルプの導入用穴に配した部品が設けられる。
【０００６】
本発明は、又、噴射器の組が、複数個の噴射器を二つの金属板間に並列に配しかつ両金属板とともに周囲壁により囲み、気密な室を作り、ここに気泡を吹込むものである。
【０００７】
【発明の実施の形態】
図１に、本発明の一例の噴射器１が中空の円筒状チューブにより構成されることが示される。
チューブ１の内部穴は、三つの部分からなる第１の部分２を有し、この第１の部分が集束部２ａ、発散部２ｃ、両者間の円筒状部２ｂからなる。発散部２ｃはチューブ１の端で開口する。穴はチューブ１の一端から穴２ａまで延在する円筒状の穴である第２の部分３を有す。
穴３の径は、穴２ａの径より大であり、これにより肩４が作られる。肩４のレベルで、チューブ１が穴３に接線方向に開口するダクト５により穴穿けされる。
【０００８】
穴３にはシール７付きのストッパ６が設けられる。ストッパ６の厚みは、Ｉだけ穴３の長さより短いが、この長さＩは穴５の径にほゞ等しい。かくして、穴３の底で、穴５を介して接線方向に供給される空気のための円筒状の室３ａを作る。
ストッパ６は、互いに連通した又は連通しない穴８を有す。これらの穴８は星形に配したいくつかのスロットからなり、たとえば、ストッパ６の中心部で互いに交差する３個のスロットをドリルで穴あけすることで作られる。
【０００９】
図４と図５は、穴３内に挿入するよう意図されたストッパ６の第一実施例を示す。このストッパ６が穴３内に室３ａを作る。
ストッパ６は、図４と図５から分る如く、５個の穴８をドリルで穴あけしたもので、一つの中央穴とその回りの四個の穴を有し、それらの交差部を介して互いに連通する。
【００１０】
図６と図７に示す例は、穴８が互いに交差する３個のスロット８ａ、８ｂ、８ｃからなる。この結果、中央に大きなオリフィス８ｄが設けられ、このオリフィスが各スロットの軸心の幾何学的中心をもつことになる。
図６と図７の例は噴射のとき、繊維状のものが付着しない利点を有す。
空気を噴射したとき、空気とパルプとの間の接触面を最大に増加させるよう穴８が作られる。この目的のため、中央の穴まわりに複数個の付加オリフィスを配し、付加オリフィスは互いに連通させてもよい。付加オリフィスは図４の如く円形でもよく、又、図６の如く細長いものでもよい。
【００１１】
図２と図３は、図１に示した噴射器のような噴射器を複数個、室の内に、並列関係に配した構成を示す。
この目的のために、２枚の平行なプレート１０、１１との間に噴射器を配す。プレート１０は穴１２を有し、この穴１２にチューブ１の端を挿入し、穴２の発散部２ｃを外部に開放させる。プレート１１は穴１３を有し、この穴１３が噴射器の他の端を受ける。
図２に仮想線で示す１’、１''、１''' は他の噴射器を表す。
図３に示した如く、穴１２（およびこれに対応する穴１３）は、ボイラー内のチューブに類似した配列であり、両プレート１０、１１は、円形の殻１４により互いに気密に結合される。
両プレート１０、１１は、殻１４とともに、噴射器を配す気密なスペース（室）を作る。
この殻１４に弁１６付きの空気供給パイプ１５と弁１８付きの水供給パイプ１７を接続する。
２枚のプレート１０、１１と殻１４とにより構成されるスペース（室）は図２に仮想線で示す２つの室１９、２０間に介在する。
【００１２】
インクを除去するパルプが室２０内に圧縮され、各噴射器の穴８内へ入る。同時に、圧縮空気がパイプ１５（弁１８を閉じる）を介してスペース（室）内に送る。この圧縮空気は各噴射器の接線方向の穴５を通り、穴８を通過するパルプの流れの中に吹込まれる。パルプと空気の混合体が噴射器を通り、発散部２ｃの開口から室１９内に入る。
【００１３】
水パイプ１７がスペース（室）の内部を、必要時、清掃するのに使用される。ヨーロッパ特許第３０５，２５１号明細書に記述される如く、噴射器内へ吹込まれた空気は多量の気泡を作り、スペース（室）内の多数の噴射器の配列が多くのパルプの泡立ちを効率よく作り、インク除去を可能にする。
【図面の簡単な説明】
【図１】本発明の一例に用いる噴射器の長手方向断面図である。
【図２】図１による複数個の噴射器を含む気密な室の一例の長手方向断面図である。
【図３】図の矢視Ｂ−Ｂよりみた断面図である。
【図４】噴射器のストッパの第一の例の断面図である。
【図５】図４の矢視Ａ−Ａよりみた断面図である。
【図６】噴射器のストッパの第二の例の断面図である。
【図７】図６の矢視Ｃ−Ｃよりみた断面図である。
【符号の説明】
１  噴射器
２ａ  集束部
２ｂ  円筒状部
２ｃ  発散部
３  穴
３ａ  室
５  ダクト
６  ストッパ
８  穴
１０、１１  プレート
１４  殻
１５  空気供給パイプ
【図１】
0003784871.tif 000002
【図２】
0003784871.tif 000003
【図３】
0003784871.tif 000004
【図４】
0003784871.tif 000005
【図５】
0003784871.tif 000006
【図６】
0003784871.tif 000007
【図７】
0003784871.tif 000008